(57)【要約】【課題】原則一人で迅速な出し入れ操作を行える一方、海中における閉鎖安定性を十分に確保する。【解決手段】連段式貝類養殖篭において、側網５には各育成室の円周方向に離れた位置に入口部７と出口部８を個別に形成してなり、入口部７は、育成室の全高より小さなスリット状に形成されているとともに、これら入口部７を、上下各育成室に共通であって一側縁が側網５と連続し他側縁が入口部７を覆って開放状態とされる同一の網からなる入口部扉体９により開閉可能に覆うとともに、入口部扉体９の少なくとも最上縁部および最下縁部を最上部および最下部のフレーム２，２に閉じ糸１０，１０により固定し、出口部８は、各育成室の全高に亘って上下方向に連続して開口され、出口部８を、各育成室に共通であって一側縁が出口部８の一側及び他側の開口縁の側網５と連続し他側縁が開放状態とされる同一の網からなる第１及び第２の出口部扉体１１，１２により重合して開閉可能に覆うようにした。【選択図】      図１
2011172531.tif 000002
【特許請求の範囲】
【請求項１】
リング状に形成された上下複数のフレーム（２）と、各フレーム（２）の面内に張設された床網（４）と、各フレーム（２）を上下複数段に配列した状態で各フレーム（２）の周囲に張設された側網（５）とを備え、上下の床網（４）および側網（５）によって囲われた内側を上下複数の育成室とした連段式貝類養殖篭において、
前記側網（５）には各育成室の円周方向に離れた位置に入口部（７）と出口部（８）を個別に形成してなり、入口部（７）は、育成室の全高より小さなスリット状に形成されているとともに、これら入口部（７）を、上下各育成室に共通であって一側縁が側網（５）と連続し他側縁が入口部（７）を覆う網からなる入口部扉体（９）により開閉可能に覆うとともに、入口部扉体（９）の少なくとも最上縁部および最下縁部を最上部および最下部のフレーム（２），（２）に閉じ糸（１０），（１０）により固定し、出口部（８）は、各育成室の全高に亘って上下方向に連続して開口され、出口部（８）を、各育成室に共通であって一側縁が出口部（８）の一側及び他側の開口縁の側網（５）と連続する網からなる第１及び第２の出口部扉体（１１），（１２）により重合して開閉可能に覆うようにしたことを特徴とする貝類養殖篭。
【請求項２】
前記入口部（７）と前記出口部（８）とは、各前記育成室の円周方向に略９０度以内の離れた位置に形成されていることを特徴とする請求項１に記載の貝類養殖篭。
【請求項３】
前記第１及び第２の出口部扉体（１１），（１２）の少なくとも最上縁部および最下縁部は、最上部および最下部のフレーム（２），（２）に仮止め用の閉じ糸（１５），（１５）により開放自在に固定されることを特徴とする請求項１又は２に記載の貝類養殖篭。
【請求項４】
前記入口部（７）のスリット長さは、各育成室毎に下部側床網（４）より所定高さ離れた上方位置であって、前記育成室の中間位置に形成されていることを特徴とする請求項１乃至３のいずれかに記載の貝類養殖篭。
【請求項５】
前記第１、第２の出口部扉体（１１），（１２）を重合状態でさらに二重となるように折返し、該折返された開閉端の少なくとも上端および下端を前記最上部と最下部のフレーム（２），（２）に仮止め用の閉じ糸（１５），（１５）を介して仮止め固定するようにしたことを特徴とする請求項１乃至４のいずれかに記載の貝類養殖篭。
【発明の詳細な説明】
【技術分野】
【０００１】
本発明は、貝類養殖篭に関し、特に、リング状に形成された上下複数のフレームと、各フレームの面内に張設された床網と、各フレームを上下複数段に配列した状態で各フレーム周囲に張設された側網とを備え、上下の床網および側網によって囲われた内部を上下複数の育成室として、その内外を仕切るようにした上下方向に網製長筒状とした連段式貝類養殖篭に関するものである。
【背景技術】
【０００２】
ホタテ貝などの稚貝の育成を行うための網製長筒状の連段式貝類養殖篭には、一箇所に出入口部が設けられており、この出入口部は、網を重複しただけの簡易なものであって、従来では、この重複部を通じて篭内に稚貝を入れた後、てぐす糸などによりジグザグ状に縫合して閉じ合わせることにより出入口を閉じ、海中に投入し、育成した後引上げ、陸上部でてぐす糸を引抜いて貝を取出す作業が行われていた。
【０００３】
以上の一連の作業のうち、稚貝の篭内投入作業と、成貝の取出し作業は、ホタテ貝などの生存を確保するために短時間に行うことが不可欠であるが、連段式貝類養殖篭は、重量があり、てぐす糸の縫合作業と抜取り作業に時間がかかり、熟練を要することが大きな課題である。またこのために多数の篭内に出し入れ処理する上で、一人が出入口を開いた状態で保持し、他の一人が稚貝を投入させる必要があるなど、人手が多くかかり、貝の価格に占める人件費割合の高騰原因となっていた。
【０００４】
そこで、本出願人は先に下記特許文献１に示すように、出入口に沿って複数のホックを設け、閉じる場合には、ホックを嵌め合わせ、明けるときにはてぐす糸などを用いて連続してホックを外すことにより、開け閉め作業の迅速化、簡便化を図った構造の連段式貝類養殖篭を開発した。
【先行技術文献】
【特許文献】
【０００５】
【特許文献１】実用新案登録第３１１１２７３号公報
【発明の概要】
【発明が解決しようとする課題】
【０００６】
しかしこの従来の構造の連段式貝類養殖篭では、高価であること、閉じる時に時間がかかりすぎること、および明ける時にはホックの接合抵抗が大であることや、篭を海中に長い間放置することにより、海草類や、フジツボなどが付着するため、さらに接合抵抗が大となり、思うような迅速性を得られない課題があった。
【０００７】
ところで、本発明者は、稚貝の状態では殻長が小さく、専用の容器を用いて内部に投入できるため、入口は小さくてよく、かつ一旦明けた後は恒久的に閉鎖しておけばよい反面、成長により殻長が大きくなった成貝では、出口開口部を大きく取る必要があることに着目した。
【０００８】
本発明は、以上の着眼点に基づきなされたものであって、その目的は、原則一人で迅速な出し入れ操作を行える一方、海中における閉鎖安定性を十分に確保できるようにした連段式の貝類養殖篭を提供するものである。
【課題を解決するための手段】
【０００９】
上記課題を解決するための手段を、図の実施の形態を参照して説明する。
本発明は、リング状に形成された上下複数のフレーム２と、各フレーム２の面内に張設された床網４と、各フレーム２を上下複数段に配列した状態で各フレーム２の周囲に張設された側網５とを備え、上下の床網４および側網５によって囲われた内側を上下複数の育成室とした連段式貝類養殖篭において、
前記側網５には各育成室の円周方向に離れた位置に入口部７と出口部８を個別に形成してなり、入口部７は、育成室の全高より小さなスリット状に形成されているとともに、これら入口部７を、上下各育成室に共通であって一側縁が側網５と連続し他側縁が入口部７を覆って開放状態とされる同一の網からなる入口部扉体９により開閉可能に覆うとともに、入口部扉体９の少なくとも最上縁部および最下縁部を最上部および最下部のフレーム２，２に閉じ糸１０，１０により固定し、出口部８は、各育成室の全高に亘って上下方向に連続して開口され、出口部８を、各育成室に共通であって一側縁が出口部８の一側及び他側の開口縁の側網５と連続し他側縁が開放状態とされる同一の網からなる第１及び第２の出口部扉体１１，１２により重合して開閉可能に覆うようにしたことを特徴とする貝類養殖篭にある。
【００１０】
請求項２の発明では、前記入口部７と前記出口部８とは、各前記育成室の円周方向に略９０度以内、望ましくは、略３０度程度の比較的近接した位置に離れて形成されていることを特徴とする。
【００１１】
請求項３の発明では、前記第１及び第２の出口部扉体１１，１２の少なくとも最上縁部および最下縁部は、最上部および最下部のフレーム２，２に仮止め用のてぐす糸などの閉じ糸１５，１５により開放自在に固定されることを特徴とする。閉じ糸１０，１５は、腰のあるプラスチックのモノフィラメント若しくは紐により形成される。
【００１２】
請求項４の発明では、前記入口部７のスリット長さは、各育成室毎に下部側床網４より所定高さ離れた上方位置であって、育成室の中間位置に形成されていることを特徴としている。入口部７のスリット長さは、前記育成室の全高を３等分して、その中間位置における全高の１／３程度の長さに形成させるようにすれば良い。
側網５は、網シートをフレーム２に沿って筒状に巻いて端縁同士を逢着して形成させるが、入口部７のスリットは、上記逢着線の中間に形成した非逢着部分に形成させることが、その上下引っ張りによる閉鎖作用を得る上から有効である。
【００１３】
請求項５の発明では、前記第１、第２の出口部扉体１１，１２を重合状態でさらに二重となるように折返し、該折返された開閉端の少なくとも上端および下端を前記最上部と最下部のフレーム２，２に仮止め用の閉じ糸１５，１５を介して仮止め固定するようにしたことを特徴とする。
【００１４】
上記本発明に係る連段式貝類養殖篭の使用方法を説明する。
養殖篭１に稚貝を投入する時には、図２に示すように、各入口部７を上向きにした状態で養殖篭１を横向きに寝かせ、各入口部７から漏斗状の投入用容器１６の先端を差し込むようにして、稚貝を各育成室に投入する。入口部７と出口部８とは、各育成室の円周方向に比較的近接した位置に形成されているところから、入口部７から投入された稚貝が出口部８から脱落することはない。
稚貝の投入後は、図１に示すように養殖篭１を縦にして海中に投入し成貝にまで成長させる。この時、入口部７のスリットは上下に引っ張られて閉じられるとともに、入口部扉体９によって閉鎖されている。また、出口部８は、二重の第１及び第２の出口部扉体１１，１２によって重合状に閉じられ、少なくとも最上縁部および最下縁部が、最上部および最下部のフレーム２，２に仮止め用のてぐす糸などの閉じ糸１５，１５により開放自在に固定されているところから、閉鎖されている。従って、生育中貝が逃げ出すことはない。  成長を確認した後、養殖篭１を陸上に引き上げ、図３に示すように、第１及び第２の出口部扉体１１，１２の仮止め用の閉じ糸１５，１５を抜いて、作業者が出口部８を下向きにして、回収用容器１７に向けて、横向きとした養殖篭１の両端近くを持って振ることにより、成貝を迅速に回収できる。
【発明の効果】
【００１５】
本発明では、上述したように、貝類の投入及び回収を、二箇所に分けて形成した入口部及び出口部から、原則一人の作業者により、迅速に行わせることができるという優れた効果がある。
また、入口部が育成室の全高より小さなスリット状をなしており、且つ、上下固定の入口部扉体によって覆われていることにより、養殖篭の海中吊下状態では、上下方向に引っ張られて閉じられたままである。また出口部においても二重の扉体の重合により閉鎖状態が保たれる。養殖篭を陸上部に引上げた後は、出口部の扉体の上下の閉じ糸を抜くことにより、簡単に出口部を開くことができ、成長し、寸法の大きくなった成貝を原則一人の作業者により、迅速に取出すことができる。
【００１６】
請求項２記載の発明では、入口部と出口部とが育成室の円周方向に比較的近接した位置にあり、入口部から投入した稚貝が出口部から脱落するということがない。
【００１７】
請求項３記載の発明では、二枚の扉体が重ね合わされた状態で、その開閉端の少なくとも上下端が仮止め用の閉じ糸により少なくとも最上部と最下部のフレームに仮止め固定されているため、海中吊下状態で、外力による強制的な開き操作がなされない限りは、閉鎖安定状態に保たれる。陸上部に引上げた後は、両扉の開閉端を引張れば、仮止め用閉じ糸がフレームから強制的に抜糸され、その後は一度に各育成室の出口部を開くことができるため、簡単かつ迅速性をもって一人の作業者が成貝を容器などに移し替えることができる。
【００１８】
請求項５記載の発明では、扉体が２重に折重なった状態でその開閉端を仮止め用閉じ糸により仮止め固定されるため、海中における閉鎖安定性をさらに確保できるものとなる。
【図面の簡単な説明】
【００１９】
【図１】（ａ），（ｂ）は本発明の第１実施形態による養殖篭の斜視図である。
【図２】同養殖篭に稚貝を投入する際の作業形態を示す説明図である。
【図３】同養殖篭から成貝を取出す際の作業形態を示す説明図である。
【図４】（ａ）〜（ｃ）は本発明の第２実施形態による養殖篭の斜視図である。
【発明を実施するための形態】
【００２０】
以下、本発明を適用した実施の形態例を図１〜４を参照して説明する。
図１〜図３は、本発明を上下に３つの育成室Ａ１，Ａ２，Ａ３を備えた３段式養殖篭に適用した場合の第１の実施の形態を示している。
図において、養殖篭１は、ビニル被覆鋼線からなるリング状の４つの主フレーム２と、各主フレーム２に両端を連結され、主フレーム２の面内で十字形に交叉する同じくビニル被覆鋼線からなる一対の補強フレーム３と、各主フレーム２の面内に張設されて天板面、中間床、および底板面を構成する樹脂網製の所定メッシュの床網４と、各主フレーム２を上下に配置した状態で各主フレーム２間の側面に張設されて周囲を覆う同じく所定メッシュの側網５と、主フレーム２と補強フレーム３との接合端に中間部を結びつけられた４本の吊り用ロープ６とを備えている。
【００２１】
前記床網４および側網５は、飼育する稚貝の当初の大きさに合わせたメッシュに形成されている。また図では、矩形網としているが、菱目網としてもよい。
【００２２】
各吊り用ロープ６は、養殖篭１を海中に吊下げ状態に支持するもので、養殖篭１の上方と下方で一本に結び付けられ、上方側のは、海上に位置する図示しない養殖筏などに連結され、下方側の束は海中にまたは海底に位置する同じく図示しない沈子などに連結され、この状態で養殖篭１を数ヶ月間海中に放置することにより、内部投入された稚貝の育成が行われる。
【００２３】
各主フレーム２には床網４の周囲が逢着されるとともに、側網５の上下端部および中間部が各主フレーム２に逢着されることにより、各育成室内と外部とを画成しているる。
【００２４】
補強フレーム３は、主フレーム２の枠形状保持の機能と、床網４を四等分割して貝類重量による撓みの偏在を防止する機能を備えたものであり、このため補強フレーム３上に床網４が張設される。
【００２５】
側網５には、各育成室毎に入口部７と出口部８が円周方向に９０度以内、望ましくは３０度程度離れて、隣接して設けられている。このうち入口部７は、育成室の高さを３等分し、その３等分割された中間位置に、図の破線で示すスリットの状態（実際にはスリットのままであるが、図ではレンズ状の膨出部としている）で形成され、その表面は各育成室に共通の片開き式の入口部扉体９で覆われている。この入口部扉体９は、側網５の一般部と同材質、同一メッシュの網であって、入口部７（スリット部分）を除いて側網５の一般部に側網５と連続し又は縫合するとともに、その上端および下端縁を最上部および最下部の主フレーム２に閉じ糸１０により縫合により固定されている。
【００２６】
従って、入口部７は、スリット状であることにより吊り下げ状態で上下方向に引っ張られて閉状態を保つとともに、これに重なる入口部扉体９によって常時閉鎖されている。これにより、入口部７は、外力により入口部扉体９を強制的に開かない限りは、閉鎖状態に保たれ、稚貝ないしは育成中の貝類がこの部分から散逸することを防止するようになっている。入口部７の長さＬ２は、育成室の高さの、略１／３とされ、入口部７の上下に長さＬ１，Ｌ３の側網部分が形成される。
【００２７】
これに対し、破線で囲われる各出口部８の開口幅Ｗは広く設定されているが、２枚の出口部扉体１１，１２の重合によって閉鎖、開放可能となっている。同出口部扉体１１，１２は、いずれも側網と同材質であり、このうち、第１の出口部扉体１１は、出口部８の一方の開口縁の側網と連続し、開口縁をヒンジとして開閉可能である。第２の出口部扉体１２は出口部８の他方側開口縁の側網と連続し、開口縁をヒンジとして第１の出口部扉体１１に重合しつつ開閉可能となっている。また、第１の出口部扉体１１の上端および下端縁のうち出口部８の開口幅分はそれぞれ最上部の主フレーム２および最下部の主フレーム２に縫合１４によって接合され、その延長部を第２の出口部扉体１２に重合可能な状態である。
【００２８】
従って、図１（ａ）に示すように、両出口部扉体１１，１２がフリーに重合している状態から完全閉鎖するには、図１（ｂ）の一部に拡大しても示すように、少なくともその開閉端の上下を最上部と最下部の主フレーム２に仮止め用の縫合糸であるてぐす糸よりなる閉じ糸１５を絡げることにより、完全閉鎖され、引き剥がすなどの外力を加えない限り、閉鎖安定性を保つことができる。なお、中間の主フレーム２にも両出口部扉体１１，１２の開閉端を通じてて閉じ糸１５を絡げておけば、さらに閉鎖安定性が増すものとなる。閉じ糸１５は、一端が主フレーム２に固定され、他端はフリーの状態とされて、上記両出口部扉体１１，１２に刺し通し係止させるようにすれば良い。
【００２９】
いずれにしろ、本養殖篭１は両出口部扉体１１，１２を閉じ糸１５により閉鎖状態とした後、製品として出荷でき、また同一製品を繰返し使用する場合であっても、２箇所あるいは中間の主フレーム２との交叉箇所で簡単な閉じ糸による絡げ操作によって両扉体を閉じることができるため、再閉鎖作業も熟練を要することなく、ワンタッチで迅速に行うことができる。
【００３０】
次に以上の養殖篭１に稚貝を投入する場合を図２に示す。稚貝ａ１の大きさは、殻長数mm〜数cmと極めて小さく、従って、各育成室の容積に応じて予め定められた最適な量の稚貝ａを計量（数）の上、作業員が入口部扉体９を開き、投入用容器１６の漏斗状に縮径する投入口１６ａを入口部８のスリット内に差込んで振るなどの操作を行うことにより、各育成室内に一人で簡単かつ迅速に投入できる。全育成室に稚貝を投入した後は、養殖篭１を縦にして海中に投入し、そのまま放置しておけば、海水の流通によって稚貝は海水中の栄養塩類や、プランクトンを摂取する結果、略ヶ月後には成貝ａ２までに成長する。
【００３１】
成長を確認した後は、養殖篭１を陸上に引上げ、両出口部扉体１１，１２を引き起すことにより、閉じ糸１５は簡単に外れる。その後は、図３に示すように、作業員が大形の回収用容器１７に向けて出口部８を下にして振るなどの動作を行うことにより、所定の大きさに成長した成貝ａ２を大形容器１７内に迅速に回収できるのである。
【００３２】
次に本発明の第２実施形態を図４を用いて説明する。なお、基本形態は第１実施形態と同じであるので、同一箇所には同一符号を用いて説明する。また、網のメッシュや吊り用ロープなどは省略するが、第１実施形態と同一である。
【００３３】
図４（ａ）に示すように、入口部７、出口部８、およびそれぞれの入口部扉体９，出口部扉体１１．１２の構成は第１実施形態と同様である。しかし、本実施形態では、図４（ｂ）に示すように、出口部８側において、両出口部扉体１１，１２が重なり合った状態で第１の出口部扉体１１を内側にして出口部８に向けて折畳み、図４（ｃ）に拡大して示すように折畳まれて２重となった開閉縁部の上端に、両出口部扉体１１，１２を貫通して閉じ糸１５を通し、その端縁を最上部の主フレーム２に絡げておき、また下端側でも同様の操作を行うことにより、出口部８は完全に閉じられる。
【００３４】
本第２実施形態では、海中放置時における閉鎖安全性をさらに確実にすることができる。また陸上部に引上げた後の開扉操作は、折畳まれた両出口部扉体１１，１２を引起せば、閉じ糸１５は簡単に引抜かれて出口部８の開放を行うことができ、その後の取出し作業は第１の実施形態と同様に成貝を簡単迅速に大形容器内に回収できる。
【００３５】
なお、本第２実施形態において、折畳まれて２重となった両出口部扉体１１，１２を出口部８とは反対側に折曲げ、その開閉端に閉じ糸１５を通し、その余長部分を主フレーム２に絡げてもよい。
【００３６】
さらに、各実施形態では３育成室タイプの４段式養殖篭に適用した場合を例示したが、さらに多数の育成室を備えた多段式フレーム構造の養殖篭に適用できることは言うまでもない。また、本発明では、稚貝から成貝に育成する過程のみ説明したが、稚貝−中間育成貝−成貝（製品）までに至る過程もあり、この場合にはさらにメッシュの大きな篭に移し替える必要があり、この場合においても本発明が簡単に開閉でき、移し替えも迅速かつ簡単に行うことができる点で極めて有利である。
【符号の説明】
【００３７】
１  養殖篭
２  主フレーム
３  補強フレーム
４  床網
５  側網
６  吊り用ロープ
７  入口部
８  出口部
９  入口部扉体
１０  閉じ糸（閉じ紐）
１１  第１の出口部扉体
１２  第２の出口部扉体
１４  縫合
１５  閉じ糸（閉じ紐）
１６  稚貝投入用容器（１６ａ  投入口）
１７  回収用容器
Ａ１〜Ａ３  育成室
Ｗ  開口幅
【図１】
2011172531.tif 000003
【図２】
2011172531.tif 000004
【図３】
2011172531.tif 000005
【図４】
2011172531.tif 000006